【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
下り共有データチャネルと周波数分割多重される拡張下り制御チャネルで下り制御情報を送信する送信部と、
拡張下り制御チャネル用に設定される物理リソースブロック（ＰＲＢ）ペアを構成する複数のリソース要素（ＲＥ）に対して、下り制御情報をマッピングするマッピング部と、を有し、
前記下り制御情報は、複数の拡張リソース要素グループ（ｅＲＥＧ）で構成される拡張制御チャネル要素（ｅＣＣＥ）単位で構成され、
前記マッピング部は、前記拡張リソース要素グループ（ｅＲＥＧ）を、復調用参照信号（ＤＭ−ＲＳ）が割当てられる領域を除いたリソース要素（ＲＥ）に分散してマッピングすることを特徴とする無線基地局。
【請求項２】
前記マッピング部は、前記物理リソースブロック（ＰＲＢ）ペアを構成する複数のリソース要素（ＲＥ）のうち、復調用参照信号（ＤＭ−ＲＳ）が割当てられないリソース要素（ＲＥ）に対して、拡張リソース要素グループ（ｅＲＥＧ）のインデックス番号に対応する番号を周波数及び時間方向に分散して付与し、各拡張リソース要素グループ（ｅＲＥＧ）をインデックス番号に対応するリソース要素（ＲＥ）にマッピングすることを特徴とする請求項１に記載の無線基地局。
【請求項３】
前記マッピング部は、前記物理リソースブロック（ＰＲＢ）ペアにおいて、既存システムの下り共有チャネル（ＰＤＳＣＨ）が割当てられる第１の領域、制御チャネル（ＰＤＣＣＨ）が割当てられる第２の領域、及びセル固有参照信号（ＣＲＳ）が割当てられる第３の領域のリソース要素（ＲＥ）に対して、拡張リソース要素グループ（ｅＲＥＧ）のインデックス番号に対応する番号を付与することを特徴とする請求項１又は請求項２に記載の無線基地局。
【請求項４】
１つの物理リソースブロック（ＰＲＢ）ペアに１６個の拡張リソース要素グループ（ｅＲＥＧ）が含まれることを特徴とする請求項１から請求項３のいずれかに記載の無線基地局。
【請求項５】
下り共有データチャネルと周波数分割多重される拡張下り制御チャネルを用いてユーザ端末と通信する無線基地局の無線通信方法であって、
下り共有データチャネルと周波数分割多重される拡張下り制御チャネルで下り制御情報を送信する工程と、
拡張下り制御チャネル用に設定される物理リソースブロック（ＰＲＢ）ペアを構成する複数のリソース要素（ＲＥ）に対して、下り制御情報をマッピングする工程と、を有し、
前記下り制御情報は、複数の拡張リソース要素グループ（ｅＲＥＧ）で構成される拡張制御チャネル要素（ｅＣＣＥ）単位で構成され、
前記拡張リソース要素グループ（ｅＲＥＧ）を、復調用参照信号（ＤＭ−ＲＳ）が割当てられる領域を除いたリソース要素（ＲＥ）に分散してマッピングすることを特徴とする無線通信方法。
【請求項６】
下り共有データチャネルと周波数分割多重される拡張下り制御チャネルを用いて通信を行うユーザ端末及び無線基地局を有する無線通信システムであって、
前記ユーザ端末は、拡張下り制御チャネルを用いて送信される下り制御情報を受信する受信部を有し、
前記無線基地局は、下り共有データチャネルと周波数分割多重される拡張下り制御チャネルで下り制御情報を送信する送信部と、拡張下り制御チャネル用に設定される物理リソースブロック（ＰＲＢ）ペアを構成する複数のリソース要素（ＲＥ）に対して、下り制御情報をマッピングするマッピング部と、を有し、
前記下り制御情報は、複数の拡張リソース要素グループ（ｅＲＥＧ）で構成される拡張制御チャネル要素（ｅＣＣＥ）単位で構成され、
前記マッピング部は、前記拡張リソース要素グループ（ｅＲＥＧ）を、復調用参照信号（ＤＭ−ＲＳ）が割当てられる領域を除いたリソース要素（ＲＥ）に分散してマッピングすることを特徴とする無線通信システム。
【請求項７】
下り共有データチャネルと周波数分割多重される拡張下り制御チャネルで下り制御情報を送信する送信部と、
拡張下り制御チャネル用に設定される複数の物理リソースブロック（ＰＲＢ）ペアに対して、下り制御情報をマッピングするマッピング部と、を有し、
前記下り制御情報は、複数の拡張リソース要素グループ（ｅＲＥＧ）で構成される拡張制御チャネル要素（ｅＣＣＥ）単位で構成され、
前記マッピング部は、１つの拡張制御チャネル要素（ｅＣＣＥ）を構成する複数の拡張リソース要素グループ（ｅＲＥＧ）に対して、それぞれ異なるインデックス番号を付与すると共に、異なる物理リソースブロック（ＰＲＢ）ペアにマッピングすることを特徴とする無線基地局。
【請求項８】
前記マッピング部は、拡張制御チャネル要素（ｅＣＣＥ）に番号を付与し、所定の番号が付与された拡張制御チャネル要素（ｅＣＣＥ）に対して、インデックス番号が異なる複数の拡張リソース要素グループ（ｅＲＥＧ）を対応させるようにマッピングすることを特徴とする請求項７に記載の無線基地局。
【請求項９】
前記マッピング部は、各ＰＲＢペアを構成する複数のリソース要素に対して、前記拡張リソース要素グループ（ｅＲＥＧ）を復調用参照信号（ＤＭ−ＲＳ）が割当てられる領域を除いたリソース要素（ＲＥ）に分散してマッピングすることを特徴とする請求項７又は請求項８に記載の無線基地局。
【請求項１０】
前記マッピング部は、前記物理リソースブロック（ＰＲＢ）ペアを構成する複数のリソース要素（ＲＥ）のうち、復調用参照信号（ＤＭ−ＲＳ）が割当てられないリソース要素（ＲＥ）に対して、拡張リソース要素グループ（ｅＲＥＧ）のインデックス番号に対応する番号を周波数及び時間方向に分散して付与し、各拡張リソース要素グループ（ｅＲＥＧ）をインデックス番号に対応するリソース要素（ＲＥ）にマッピングすることを特徴とする請求項９に記載の無線基地局。
【請求項１１】
１つの物理リソースブロック（ＰＲＢ）ペアに１６個の拡張リソース要素グループ（ｅＲＥＧ）が含まれることを特徴とする請求項７から請求項１０のいずれかに記載の無線基地局。
【請求項１２】
下り共有データチャネルと周波数分割多重される拡張下り制御チャネルを用いてユーザ端末と通信する無線基地局の無線通信方法であって、
下り共有データチャネルと周波数分割多重される拡張下り制御チャネルで下り制御情報を送信する工程と、
拡張下り制御チャネル用に設定される複数の物理リソースブロック（ＰＲＢ）ペアに対して、下り制御情報をマッピングする工程と、を有し、
前記下り制御情報は、複数の拡張リソース要素グループ（ｅＲＥＧ）で構成される拡張制御チャネル要素（ｅＣＣＥ）単位で構成され、
１つの拡張制御チャネル要素（ｅＣＣＥ）を構成する複数の拡張リソース要素グループ（ｅＲＥＧ）に対して、それぞれ異なるインデックス番号を付与すると共に、異なる物理リソースブロック（ＰＲＢ）ペアにマッピングすることを特徴とする無線通信方法。
【請求項１３】
下り共有データチャネルと周波数分割多重される拡張下り制御チャネルを用いて通信を行うユーザ端末及び無線基地局を有する無線通信システムであって、
前記ユーザ端末は、拡張下り制御チャネルを用いて送信される下り制御情報を受信する受信部を有し、
前記無線基地局は、下り共有データチャネルと周波数分割多重される拡張下り制御チャネルで下り制御情報を送信する送信部と、拡張下り制御チャネル用に設定される複数の物理リソースブロック（ＰＲＢ）ペアに対して、下り制御情報をマッピングするマッピング部と、を有し、
前記下り制御情報は、複数の拡張リソース要素グループ（ｅＲＥＧ）で構成される拡張制御チャネル要素（ｅＣＣＥ）単位で構成され、
前記マッピング部は、１つの拡張制御チャネル要素（ｅＣＣＥ）を構成する複数の拡張リソース要素グループ（ｅＲＥＧ）に対して、それぞれ異なるインデックス番号を付与すると共に、異なる物理リソースブロック（ＰＲＢ）ペアにマッピングすることを特徴とする無線通信システム。
【手続補正２】
【補正対象書類名】明細書
【補正対象項目名】０００９
【補正方法】変更
【補正の内容】
【０００９】
本発明の無線基地局は、下り共有データチャネルと周波数分割多重される拡張下り制御チャネルで下り制御情報を送信する送信部と、拡張下り制御チャネル用に設定される物理リソースブロック（ＰＲＢ）ペアを構成する複数のリソース要素（ＲＥ）に対して、下り制御情報をマッピングするマッピング部と、を有し、前記下り制御情報は、複数の拡張リソース要素グループ（ｅＲＥＧ）で構成される拡張制御チャネル要素（ｅＣＣＥ）単位で構成され、前記マッピング部は、前記拡張リソース要素グループ（ｅＲＥＧ）を、復調用参照信号（ＤＭ−ＲＳ）が割当てられる領域を除いたリソース要素（ＲＥ）に分散してマッピングすることを特徴とする。